(57)【要約】それぞれの軸Ｘ１２、Ｘ１４のまわりに反対方向に回転する影響を受ける逆回転要素１２、１４のための支持装置１０は、逆回転要素１２、１４のための第１及び第２の支持ブロック２２及び２４と、第１及び第２の支持ブロック２２及び２４の間にブリッジのように延びる接続プレート２６とを有する。プレート２６は、逆回転要素１２、１４の回転軸Ｘ１２、Ｘ１４の間の距離の変化を可能にするように可撓性を有する。前記支持ブロック２２及び２４に作用するアクチュエータ３２は、プレート２６の可撓性によって回転軸Ｘ１２、Ｘ１４の間の距離を変更するように設けられる。
2011520612.tif 000002
【特許請求の範囲】
【請求項１】
それぞれの軸（Ｘ１２、Ｘ１４）のまわりに回転可能な逆回転要素（１２、１４）のための支持装置（１０）であって、
前記逆回転要素の一方（１２）及び他方（１４）のための第１の支持ブロック（２２）及び第２の支持ブロック（２４）と、
前記第１の支持ブロック（２２）と前記第２の支持ブロック（２４）との間にブリッジのように延び、前記逆回転要素（１２、１４）の前記回転軸（Ｘ１２、Ｘ１４）の間の距離の変化を可能にするように可撓性を有する（２６０）少なくとも１つの接続プレート（２６）と、
を有することを特徴とする支持装置。
【請求項２】
前記少なくとも１つのプレート（２６）の可撓性のために前記回転軸（Ｘ１２、Ｘ１４）の間の距離を変更するように前記第１の支持ブロック（２２）及び前記第２の支持ブロック（２４）に作用するアクチュエータ（３２）を含む、
ことを特徴とする請求項１に記載の支持装置。
【請求項３】
前記少なくとも１つのプレート（２６）及び前記アクチュエータ（３２）は、前記回転軸（Ｘ１２、Ｘ１４）を通る平面について反対側に配置される、
ことを特徴とする請求項２に記載の支持装置。
【請求項４】
前記アクチュエータ（３２）は、流体アクチュエータである、
ことを特徴とする請求項２又は請求項３に記載の支持装置。
【請求項５】
前記アクチュエータ（３０）は、圧力下の流体が供給されるとき拡張し、軸方向に収縮する膨張可能なチャンバ（３２６）を含む、
ことを特徴とする請求項４に記載の支持装置。
【請求項６】
前記少なくとも１つのプレート（２６）は、前記第１の支持ブロック（２２）と前記第２の支持ブロック（２４）との間に置かれた位置において減じられた区分（２６０）である可撓性を有する部分を有する、
ことを特徴とする請求項１から請求項５の何れか１項に記載の支持装置。
【請求項７】
前記少なくとも１つのプレート（２６）は、前記第１の支持ブロック（２２）と前記第２の支持ブロック（２４）にねじ（２８）によって固定される、
ことを特徴とする請求項１から請求項６の何れか１項に記載の支持装置。
【請求項８】
センタリング本体（２９）は、前記プレート（２６）と前記第１の支持ブロック（２２）及び前記第２の支持ブロック（２４）との間に置かれる、
ことを特徴とする請求項１から請求項７の何れか１項に記載の支持装置。
【請求項９】
前記少なくとも１つのプレート（２６）が変形されていない状態にあるとき、前記逆回転要素（１２、１４）は、離れて配置される、
ことを特徴とする請求項１から請求項８の何れか１項に記載の支持装置。
【請求項１０】
前記アクチュエータ（３２）は、前記アクチュエータ（３２）に、前記逆回転要素（１２、１４）を接触させる位置まで前記少なくとも１つのプレート（２６）の曲げを作り出す作動強度レベルを適用する調節装置（３２８）と関連している、
ことを特徴とする請求項２から請求項５の何れか１項と組み合わせられる請求項９に記載の支持装置。
【請求項１１】
前記アクチュエータ（３２）は、前記アクチュエータ（３２）に、好ましくは調節可能である所定の力で前記逆回転要素（１２、１４）を互いに対して押圧するような作動強度レベルを適用する調節装置（３２８）と関連している、
ことを特徴とする請求項１から請求項１０の何れか１項に記載の支持装置。
【請求項１２】
前記逆回転要素（１２、１４）は、共に対になった歯車（１６、１８）である、
ことを特徴とする請求項１から請求項１１の何れか１項に記載の支持装置。
【請求項１３】
前記逆回転要素の一方（１２）が駆動され、前記歯車対（１６、１８）を用いた回転において前記逆回転要素の他方（１４）を引っ張る、
ことを特徴とする請求項１２に記載の支持装置。
【請求項１４】
前記逆回転要素（１２、１４）は、超音波溶接システムのアンビル及び超音波ホーンである、
ことを特徴とする請求項１から請求項１３の何れか１項に記載の支持装置。
【発明の詳細な説明】
【技術分野】
【０００１】
本開示は、逆回転要素のための支持装置に関する。
【０００２】
本開示は、超音波溶接システムに組み込まれる逆回転要素の支持のための可能な使用に特に注意して開発された。
【背景技術】
【０００３】
多数の技術部門において、例えば逆回転ローラ、逆回転ホイール、逆回転ディスクなどの逆回転要素（counter-rotating elements）を支持するための必要が生じている。
【０００４】
特に、テープのような包装材料を発端として形成されるただ１つ又は多数の包装を実現するための「フローパック（flow-pack）」と呼ばれる（時には「フォームフィルシール（form-fill-seal）」とも、あるいは短くｆｆｓとも呼ばれる）機械は、包装部門において幅広く普及している。最初に、包装材料は、チューブを形成するために閉じられ、製品が挿入されるチューブ状のブランクを形成するためにテープの反対側の端部をともに接触させて溶接する。チューブ状のブランクは次に、連続する品物の間に含まれる領域に押され、そこで、単一の製造を互いに分離するために、その後に切断を受ける横のシールラインが形成される。
【０００５】
チューブ状の包装ブランクの長手方向のシールライン又は「フィン」を実現するための周知の方法は、一般には熱溶接によって、端部の溶接を実現する１つ若しくは複数の対の逆回転要素を通じて前述したフィンを形成することになるテープの端部を前進させることを含む。そのような状況において、逆回転要素を支持する装置は、３つの機能、すなわち、逆回転要素が、自由に回転可能であるけれどもそれぞれの回転軸が互いに平行に正確に所定距離で保持されることを確実にすることと、（例えば、処置される材料を逆回転要素の間に形成される間隔又は隙間に挿入するために）逆回転要素が開くこと又は離れて移動することを可能にすることと、逆回転要素の間において前進する処置される材料に逆回転要素によって共に及ぼされる圧力を調節することと、を有する。
【０００６】
そのような目的は、種々の種類の移動手段（マイクロメータねじ、流体アクチュエータなど）の作用を通じてそれぞれのガイド上においてすぐ近くに又は互いからさらに離れて滑動し得るそれぞれの支持ブロックを備えた、広範囲に及ぶ解決法への手段をとることによって追求することができる。逆回転要素が超音波溶接装置の一部を構成し得ることも周知である（例えば、イタリア特許第１１６０２４５号公報又は米国特許第６５７４９４４号公報参照）。
【発明の概要】
【発明が解決しようとする課題】
【０００７】
本願発明者は、特に前述した超音波溶接の用途において、従来の支持装置によって付与される精度の機能が、主に時間内において溶接特性を一定に保持する可能性について質的見地から言えば完全に満足できる超音波溶接を付与するために不十分であり得ることに注目した。
【０００８】
従って、周知の種類の装置によって示されるそのような不十分を克服することができる逆回転要素のための支持装置の必要が感じられる。
【０００９】
本発明の目的は、そのような装置を提供することである。
【課題を解決するための手段】
【００１０】
本発明によれば、そのような目的が以下の特許請求の範囲に具体的に記載される特徴を有する装置を用いて実現される。特許請求の範囲は、本発明について本明細書に付与される技術的開示の一体的部分である。
【００１１】
本発明は、添付図面を参照して限定されない実施例のみを用いて記載される。
【図面の簡単な説明】
【００１２】
【図１】本明細書に記載される種類の装置の全体斜視図である。
【図２】本明細書に記載される装置の端面図である。
【図３】図１のIII−III線に沿った断面図である。
【発明を実施するための形態】
【００１３】
以下の記載では、実施形態の完全な理解を付与するために種々の具体的詳細が説明される。実施形態は、１つ若しくは複数の具体的詳細なしに、あるいは別の方法、構成要素、材料などとともに行うことができる。他の場合において、実施形態の種々の態様を分かりにくくすることを回避するために、周知の構造、材料又は作動は、詳細には示されていない又は記載されていない。
【００１４】
本明細書を通じて「１つの実施形態」又は「一実施形態」への言及は、実施形態に関連して記載される特定の特徴、構造又は特性が少なくとも１つの実施形態に含まれることを意味する。従って、本明細書を通じて恐らく種々の場所に存在する「１つの実施形態では」又は「一実施形態では」などのフレーズの出現は、必ずしも同じ実施形態に言及するものではない。さらに、特定の特徴、構造又は特性は、１つ若しくは複数の実施形態において好適な方法で組み合せられ得る。
【００１５】
本明細書に付与される主題は便宜上のみであり、従って実施形態の保護領域又は範囲と解釈されるものではない。
【００１６】
添付図面の図において、符号１０は、互いに平行であるそれぞれの軸Ｘ１２及びＸ１４のまわりに（反対方向に）回転可能な２つの逆回転要素１２及び１４のための全体としての支持装置を示す。
【００１７】
１つの実施形態では、逆回転要素１２及び１４はそれぞれ、超音波溶接システムのアンビル及び超音波溶接ホーンである。
【００１８】
１つの実施形態では、これは、「フローパック」と一般に呼ばれる種類の包むもののいわゆる長手方向のフィンを形成することとなる超音波溶接のためのシステム（又は複数のシステムの１つのシステム）であり得る。しかしながら、本明細書に記載される装置の応用分野は、これに関連する用途に限定されるものではない。
【００１９】
本明細書に記載される実施形態では、逆回転要素１２及び１４は、ほぼディスク形状を有し、それぞれのシャフト１２０、１４０に取り付けられている。２つの歯車１６及び１８は、逆回転要素１２、１４の近くにおいてシャフト１２０、１４０にスプライン結合（splined）されている。歯車１６及び１８は、明確に示されていない動力によってそれぞれの軸Ｘ１２のまわりの回転が引っ張られるシャフト１２０、１４０の１つ（例えばシャフト１２０）が、反対方向に要素１２及び１４の回転を引き起こすそれぞれの軸Ｘ１４のまわりの他方のシャフト（例えばシャフト１４０）の（反対方向における）回転を引っ張る（pull）ように歯車対を形成して共に連結される。
【００２０】
実施例（歯車対１６、１８によってシャフト１４０を引っ張る電動シャフト１２０）によって本明細書で言及された解決法は、回転要素１２及び回転要素１４がそれぞれアンビル及び溶接ホーンである超音波溶接システムの場合に適用することができる。シャフト１４０が歯車対１６、１８によってシャフト１２０による回転に引っ張られるという事実は、シャフト１４０によって、並びに要素１２及び１４の周囲の協働点によって特定される溶接領域へ超音波振動を適用するためのホーンの形をしたその先端に取り付けられた回転要素１４によって構成される複合体の実現を容易にする。
【００２１】
要素１２及び１４（又はそれらの少なくとも１つ、例えば要素１２）は、逆回転要素１２及び１４の間の協働領域にある超音波先端の適用パターンを変更可能とするために交換可能であるように実現され得る。
【００２２】
符号２２及び２４は、内部に回転して取りつけられるシャフト１２０及びシャフト１４０をそれぞれ受け入れる２つの固体支持ブロックを示す。支持ブロック２２及び２４の内部へのシャフトの正確な取付は、ここで詳細な説明が不必要である周知の機械構造基準による周知の種類の要素（例えばベアリング）を通じて作動される。これはまた、シャフト１４０への運動の伝達、及び／又はシャフト１４０及びその先端に取り付けられた回転要素１４への超音波励起の波面の適用について有効である。
【００２３】
符号２６は、概括的にブリッジのような配置による（本明細書で示される例示的実施形態では正方形又は矩形横断面を有する平行６面体角柱ブロックであると考えられる）支持ブロック２２及び支持ブロック２４の両方に接続される平らな又は実質的に平らなプレートを示す。
【００２４】
示される実施形態では、プレート２６は、ねじ２８を介して支持ブロック２２及び２４に固定される。機械構造の熟練した人に周知である別の固定手段が、そのような目的のために適用され得る。示される実施形態では、センタリング機能を有する円柱２９が、プレート２６と各支持ブロック２２及び２４の間に挟まれる。これはすべて、２つのブロック２２及び２４の間のプレート２６のブリッジのような接続が、特に軸Ｘ１２及びＸ１４、それらのまわりに逆回転要素１２及び１４が回転する軸Ｘ１２及びＸ１４の平行配列に関して安定で正確であることを確実にする。
【００２５】
本明細書で示される例示的実施形態は、好ましくは開口構造を備え、独特である支持ブロック２２及び２４の間のブリッジのような接続として配置されるプレート２６を付与する。１つ以上のプレートを使用することは当然に、本明細書の範囲内に含まれる。
【００２６】
１つのプレート又は複数のプレート２６（以下では、簡単にするためにただ１つのそのようなプレートの存在に言及する）は、ブロック２２及び２４の間に延びる領域において曲がることができるように実現される。
【００２７】
本明細書で示される例示的実施形態では、（図３の断面図において最も理解されるように）、そのような効果は、例えば、プレート２６が概括的に位置する平面に対して曲がることを可能にする、プレートの研削除去を形成することによって得られるより薄い中間部分２６０（すなわち、いわゆる軽減区域）を有するように、ブロック２２及び２４とプレート２６との間に中間区域を設けることにより得られる。
【００２８】
プレート２６の曲げを用いて実現可能である効果は、正確に平行である所望の位置を維持しながら、図２の正面図において最も見られるように、軸Ｘ１２とＸ１４（結果として逆回転要素１２と１４）の間の距離Ｄを若干変更することができることである。
【００２９】
直説的に、軸Ｘ１２とＸ１４との間の距離Ｄがほぼ９６ｍｍ程度であることを考慮すると、プレート２６の曲げは、ほぼ２ｍｍ程度の２つの軸Ｘ１２とＸ１４との間の距離Ｄの変動を可能にすることができる。当然に、そのような定量的データは、方向付けられた目的のためのみのものであり、明細書の範囲を限定するものとして解釈されるものではない。
【００３０】
プレート２６の可撓性は、溶接される層構造Ｍを逆回転要素１２及び１４の間に規定される間隔又は隙間へ挿入するために逆回転要素１２及び１４の周囲の選択的な距離を設けることを可能にするように利用され得る。これは、例えば、チューブ状の「フローパック」包装ブランクの形成のために超音波溶接を受けるシート材料のテープの２つの反対側の端部であり得る。
【００３１】
本明細書に示される例示的実施形態では、ブロック２２及び２２の形状並びにプレート２５の形状は、静止時、すなわち外部の誘導がない場合、逆回転要素１２及び１４の周囲の間に、例えばほぼ２ｍｍ程度の隙間が存在するようになっている。
【００３２】
そのような隙間は次に、逆回転要素１２及び１４の周囲の間の隙間が取り消されるまでそれらをくっつけるように（概括的に弾性的に再び閉じることができるジョーのような形態に従ったプレート２６によって接続される）ブロック２２及び２４に作用することによって取り消され得る。
【００３３】
そのような効果は、種々の種類の作動要素により得ることができる。本明細書で示される実施形態の実施例では、そのような効果は、流体アクチュエータ３２により支持ブロック２２及び２４を接続することにより得られる。
【００３４】
プレート２６とアクチュエータ３２が回転軸Ｘ１２とＸ１４を通る平面に対して反対側に配置される本明細書に示される例示的実施形態では、アクチュエータ３２は、ブロック２２及びブロック２４にそれぞれ固定される末端３２２及び３２４の２つの末端部と、例えば比例弁３２８を含む供給ラインを通じて圧力下の流体を供給されることの影響を受けやすい拡張可能な要素３２６とを含む。
【００３５】
アクチュエータ３２の機能は、加圧流体が供給され、その結果、比例弁３２８に作用することによって強度を調節することができる力を用いて末端３２２及び３２４（従って、ブロック２２及び２４）である末端部をくっつける傾向がある軸方向の力を作りだすときに、軸方向に収縮するチャンバ３２６の拡張（expansion）を付与する。記載される種類のアクチュエータは、例えば米国特許第６３４９７４６号公報から周知である）。
【００３６】
前述した（プレート２６が変形されておらず、逆回転要素１２及び１４の周囲にほぼ２ｍｍ程度の距離に維持される）静止位置から開始し、アクチュエータ３２の供給圧力は、最初、逆回転要素１２及び１４の周囲を互いに接触させる（そのような周囲の間の隙間を実質的に取り消す）ように第１の閾値、例えば３気圧まで上げられ得る。
【００３７】
アクチュエータ３２の供給圧力の可能な更なる増加は、（一般に、例えば超音波溶接を受けることとなる逆回転要素の間に置かれる材料Ｍの挿入を備えて）逆回転要素１２及び１４の周囲を互いに対して押圧する力の増加になる。
【００３８】
記載される解決法は、ブロック２２及び２４の相対位置、及び／又はブロック２２及び２４の合わせる／離れる相対移動を調節するためにガイド又はカムを用いる必要がなく、直ちに予測することができない摩擦現象をもたらす影響を受け、アクチュエータ３２の一定の作動作用を受けて、望ましくなく予測できない方法で逆回転要素１２及び１４の協働状態を変更するように、（明確にするために、ジャッキタイプの）ケーシング内において移動可能なステムを含むアクチュエータ要素を用いる必要もないという利点を有する。
【００３９】
当然に、本発明の基本的な原理を一定に保持しながら、実現及び実施形態の詳細は、非制限的な実施例のみを用いて説明されるものに関して、添付される特許請求の範囲によって規定されるように、本発明の要旨を逸脱しない範囲で実に認め得るほどに変更することができる。
【図１】
2011520612.tif 000003
【図２】
2011520612.tif 000004
【図３】
2011520612.tif 000005
【国際調査報告】
2011520612.tif 000006
2011520612.tif 000007